(57)【要約】      （修正有）【課題】ＩＣカードの専用ケースや、この種ケースの収納箇所を衣服や鞄等から一掃できるようにし、使い勝手が良くなるよう形成したスマートフォン用ケースを提供する。【解決手段】スマートフォン１を、その操作面１ａの上下方向から挟み付けるための一方の枠部材２と他方の枠部材３とを備える。一方の枠部材２と他方の枠部材３の四隅に、両枠部材２、３を連結するための連結部４を形成する。スマートフォン１の裏面側にあてがわれる他方の枠部材３に、ＩＣカード６の収納部７を、ＩＣカード６の表面を外側に臨ませるための窓状開口部７ａを備えて矩形枠状に形成する。他方の枠部材３の内面側にあたる窓状開口部７ａの周囲を、ＩＣカード６の周辺と係合する凹段差部７ｂに形成する。【選択図】図１
0003186573.tif 000002
【実用新案登録請求の範囲】
【請求項１】
スマートフォンを、その操作面の上下方向から挟み付けるための一方の枠部材と他方の枠部材とを備え、一方の枠部材と他方の枠部材の四隅に、両枠部材を連結するための連結部が形成されているスマートフォン用ケースであって、スマートフォンの裏面側にあてがわれる他方の枠部材に、ＩＣカードの収納部が、ＩＣカードの表面を外側に臨ませるための窓状開口部を備えて矩形枠状に形成され、他方の枠部材の内面側にあたる窓状開口部の周囲が、ＩＣカードの周辺と係合する凹段差部に形成されていることを特徴とするスマートフォン用ケース。
【請求項２】
請求項１記載のスマートフォン用ケースであって、凹段差状に形成されている窓状開口部の周囲の深さが、ＩＣカードの厚みと同一に形成されていることを特徴とするスマートフォン用ケース。
【請求項３】
請求項１又は２記載のスマートフォン用ケースであって、他方の枠部材が、スマートフォンの長辺に対応する平行一対状の長尺部と、この長尺部の長手方向と直交する方向に配置されて長尺部同士を連結している平行一対状の短尺部とで形成され、ＩＣカードの収納部の窓状開口部が、上記の長尺部と短尺部とで形成されていることを特徴とするスマートフォン用ケース。
【考案の詳細な説明】
【技術分野】
【０００１】
本考案は、スマートフォン用ケースに関し、更に詳しくは、外部から加わる衝撃等からスマートフォンを保護できるよう形成したスマートフォン用ケースに関するものである。
【背景技術】
【０００２】
従来、この種のケースとしては、例えば特許文献１に記載されているものが知られている。
この従来品は、スマートフォンの背面を支持する基部と、スマートフォンの前面を支持する蓋部とで形成されている。そして、この従来品は、基部と蓋部の角部に係合部が形成され、この係合部を利用して基部と蓋部が着脱可能に形成されている。
【０００３】
ところで、最近は、鉄道等の交通機関やコンビニエンスストア等の料金決済をＩＣカードで行なうことが一般化している。
そして、この種のカードを携帯する場合は、通常、専用ケースや財布が使用されている。
【０００４】
そのため、例えば財布のポケット等にＩＣカードを入れている場合は、ＩＣカードを使用するたびに、財布からＩＣカードを一々取り出したり、入れ直さなければならない、という煩わしさがあった。
また専用ケースを使用する場合は、衣服や鞄等に、この種のケースの収納箇所が必要になる、という問題があった。
【０００５】
而して、移動体通信システムの発達した現代では、ＩＣカードと並び、或いはそれ以上に、スマートフォンが、外出時の必須の携帯品となっている。
【先行技術文献】
【特許文献】
【０００６】
【特許文献１】実用新案登録第３１８３５２８号公報
【考案の概要】
【考案が解決しようとする課題】
【０００７】
本考案は、このような従来の実情に鑑み、提案されたものである。
従って本考案の解決しようとする技術的課題は、ＩＣカードをスマートフォンと一緒に携帯可能に形成し、ＩＣカードの専用ケースや、この種ケースの収納箇所を衣服や鞄等から一掃できるようにし、使い勝手が良くなるよう形成したスマートフォン用ケースを提供することにある。
【課題を解決するための手段】
【０００８】
本考案は、上記の課題を解決するため、次のような技術的手段を採る。
即ち、本考案は、図１等に示されるように、スマートフォン１を、その操作面１ａの上下方向から挟み付けるための一方の枠部材２と他方の枠部材３とを備え、一方の枠部材２と他方の枠部材３の四隅に、両枠部材２、３を連結するための連結部４が形成されているスマートフォン用ケースであって、スマートフォン１の裏面側にあてがわれる他方の枠部材３に、ＩＣカード６の収納部７が、ＩＣカード６の表面６ａを外側に臨ませるための窓状開口部７ａを備えて矩形枠状に形成され、他方の枠部材３の内面側にあたる窓状開口部７ａの周囲が、ＩＣカード６の周辺と係合する凹段差部７ｂに形成されていることを特徴とする（請求項１）。
【０００９】
ここで、ＩＣカード６（integrated  circuit  card）とは、集積回路（ＩＣ）を組み込んだカードをいう。ＩＣカード６としては、例えば電子マネーサービス用のＩＣカード、バスや鉄道の乗車用のＩＣカード等がある。
【００１０】
而して、本考案は、凹段差状に形成されている窓状開口部７ａの周囲の深さが、ＩＣカード６の厚みと同一に形成されているのが好ましい（請求項２）。
なぜならこれによると、スマートフォン１と、ＩＣカード６とを背中合わせに密着させてコンパクトに収納できるからである。
【００１１】
また本考案は、図１等に示されるように、他方の枠部材３が、スマートフォン１の長辺に対応する平行一対状の長尺部３ａと、この長尺部３ａの長手方向と直交する方向に配置されて長尺部３ａ同士を連結している平行一対状の短尺部３ｂとで形成され、ＩＣカード６の収納部７の窓状開口部７ａが、上記の長尺部３ａと短尺部３ｂとで形成されているのが好ましい（請求項３）。
なぜならこれによると、他方の枠部材３の構造を簡単化でき、軽量化や材料の節減化を図ることができるからである。
【考案の効果】
【００１２】
本考案は、このようにスマートフォンの裏面側にあてがわれる他方の枠部材に、ＩＣカードの収納部が、ＩＣカードの表面を外側に臨ませるための窓状開口部を備えて矩形枠状に形成され、他方の枠部材の内面側にあたる窓状開口部の周囲が、ＩＣカードの周辺と係合する凹段差部に形成されている。
【００１３】
従って、本考案は、外部から加わる衝撃や振動からスマートフォンを保護できるだけではなく、ＩＣカードの専用ケースやＩＣカードの収納箇所が財布等になくても、ＩＣカードをスマートフォンと背中合わせの状態で体裁良く携帯できる。
またこれによると、ＩＣカードを使用するたびに、財布等からＩＣカードを一々取り出すことなく、スマートフォンを反転させるだけでＩＣカードを手軽に使用できる、という実用上優れた効果を奏する。
【図面の簡単な説明】
【００１４】
【図１】本考案のケースの分解斜視図である。
【図２】同上ケースの使用時の斜視図である。
【図３】同上ケースの使用時の正面図である。
【図４】同上ケースの使用時の背面図である。
【図５】同上ケースの正面図である。
【図６】同上ケースの背面図である。
【図７】図５のＶＩＩ−ＶＩＩ線における断面図である。
【図８】図５のＶＩＩＩ−ＶＩＩＩ線における断面図である。
【図９】他方の枠部材の正面図である。
【図１０】他方の枠部材の背面図である。
【図１１】図９のＸＩ−ＸＩ線における断面図である。
【図１２】図９のＸＩＩ−ＸＩＩ線における断面図である。
【考案を実施するための形態】
【００１５】
以下、本考案を実施するための好適な一実施形態を、添付図面に従って説明する。
本考案は、図１等に示されるように、スマートフォン１を、その操作面１ａの上下方向から挟み付けるための一方の枠部材２と他方の枠部材３とを備えて形成されている。各枠部材２、３は、図８等に示されるように、スマートフォン１の上下の縁に嵌合可能になるよう断面鉤形に形成されている。
【００１６】
一方の枠部材２は、スマートフォン１の表面側（上側）の周縁に嵌合されるものであり、矩形枠状に形成されている。また他方の枠部材３は、スマートフォン１の裏面側（下側）の周縁に嵌合されるものであり、スマートフォン１の長辺に対応する平行一対状の長尺部３ａと、この長尺部３ａの長手方向と直交する方向に配置されて長尺部３ａ同士を連結している平行一対状の短尺部３ｂとで形成されている。
【００１７】
平行一対状の短尺部３ｂは、この実施形態では長尺部３ａの両側の端から、同じ長さを隔てて配置されている。また一方の枠部材２と、他方の枠部材３の長手方向の寸法と、短手方向の間隔は、スマートフォン１の縦横の寸法とほぼ同一に形成されている。
【００１８】
また本考案は、一方の枠部材２と他方の枠部材３の四隅に、両枠部材２、３を連結するための連結部４が形成されている。この連結部４は、螺子５で連結できるよう、一方の枠部材２の四隅に貫通状に形成されているネジ孔４ａと、他方の枠部材３の対応する四隅に有底状に形成されているネジ孔４ｂとで形成されている。
【００１９】
また本考案は、他方の枠部材３に、ＩＣカード６の収納部７が、ＩＣカード６の表面６ａ（図４参照）を外側に臨ませるための窓状開口部７ａを備えて矩形枠状に形成されている。ＩＣカード６の収納部７は、この実施形態では図１、図９等に示されるように、他方の枠部材３の長尺部３ａと短尺部３ｂとで形作られている。
なお、ＩＣカード６は、この実施形態では交通機関の乗車や電子マネーの機能を備えた非接触型カードである。
【００２０】
そして、他方の枠部材３は、窓状開口部７ａの周囲が、ＩＣカード６の周辺と係合する凹段差部７ｂに形成されている。この場合、この実施形態では凹段差部７ｂの深さは、ＩＣカード６の厚みと同一に形成されている。
【００２１】
次に、この実施形態の本考案品の使用例を説明する。
【００２２】
先ず、使用者は、ＩＣカード６の表面６ａを下にして、他方の枠部材３の凹段差部７ｂにＩＣカード６の周辺を係合させ、ＩＣカード６をＩＣカード６の収納部７に収納する。
【００２３】
次に、使用者は、他方の枠部材３にスマートフォン１を載せ、他方の枠部材３をスマートフォン１の裏側の周縁に嵌合させる。これによリ、スマートフォン１とＩＣカード６とが背中合わせに当接される。
【００２４】
次に、使用者は、スマートフォン１の表側の周縁に、一方の枠部材２を嵌合させる。そして、使用者は、螺子５をネジ孔４ａ、４ｂに螺合させ、一方の枠部材２と他方の枠部材３とを連結する（図２の状態参照）。
【００２５】
本考案の場合、スマートフォン１は、一方の枠部材２と他方の枠部材３で周縁がガードされている。従って、本考案によれば、外部から加わる衝撃を緩和でき、スマートフォン１を保護できる。
【００２６】
また本考案は、一方の枠部材２で囲まれた状態で操作面１ａが露出しているから、スマートフォン１を使用するときは、通常通り使用者は、操作面１ａを指でタッチして使用する。
また買物時や駅の改札において、ＩＣカード６を使用するときは、スマートフォン１の操作面１ａを上にし、ＩＣカード６の表面６ａを下向きにして、端末のリーダ／ライタにＩＣカード６を、例えばかざすことにより、支払い等を、簡単、迅速にできる。
【符号の説明】
【００２７】
１      スマートフォン
１ａ    操作面
２      一方の枠部材
３      他方の枠部材
４      連結部
６      ＩＣカード
６ａ    表面
７      収納部
７ａ    窓状開口部
７ｂ    凹段差部
【図１】
0003186573.tif 000003
【図２】
0003186573.tif 000004
【図３】
0003186573.tif 000005
【図４】
0003186573.tif 000006
【図５】
0003186573.tif 000007
【図６】
0003186573.tif 000008
【図７】
0003186573.tif 000009
【図８】
0003186573.tif 000010
【図９】
0003186573.tif 000011
【図１０】
0003186573.tif 000012
【図１１】
0003186573.tif 000013
【図１２】
0003186573.tif 000014
【手続補正書】
【提出日】平成25年8月7日(2013.8.7)
【手続補正１】
【補正対象書類名】図面
【補正対象項目名】図４
【補正方法】変更
【補正の内容】
【図４】
0003186573.tif 000015